(57)【要約】【課題】画面の焼きつきを目立たなくし且つ消費電力を低下させる。【解決手段】映像信号処理装置１０によれば、ブランク領域検出手段１２によって映像信号の中からブランク領域Ｅ２を検出すると、映像領域Ｅ１からブランク領域Ｅ２又はブランク領域Ｅ２から映像領域Ｅ１に向かって輝度を徐徐に低下する輝度低下領域Ｅ３が、映像信号加工手段１１ａによって映像領域Ｅ１とブランク領域Ｅ２との間に介在するように映像信号を加工する。【選択図】図１
2007274070.tif 000002
【特許請求の範囲】
【請求項１】
映像を表示する映像領域と該映像領域以外の領域に位置するブランク領域とを有する映像信号に対して映像加工処理を施す映像信号処理装置において、
前記映像信号のブランク領域を検出するブランク領域検出手段と、
前記ブランク領域検出手段によるブランク領域の検出に応じて、前記映像領域から前記ブランク領域又は前記ブランク領域から前記映像領域に向かって輝度を徐徐に低下する輝度低下領域が、前記映像領域と前記ブランク領域との間に介在するように前記映像信号を加工する映像信号加工手段と、
を有することを特徴とする映像信号処理装置。
【請求項２】
前記映像信号加工手段は、輝度の明るい方の領域から暗い方の領域に向かって輝度を徐徐に低下する前記輝度低下領域となるように前記映像信号を加工する手段であることを特徴とする請求項１に記載の映像信号処理装置。
【請求項３】
前記映像信号加工手段は、前記輝度低下領域を前記映像領域と前記ブランク領域との境目から前記映像領域内に向かって設けるように前記映像信号を加工する手段であることを特徴とする請求項１又は２に記載の映像信号処理装置。
【請求項４】
前記映像信号加工手段は、前記輝度低下領域を前記映像領域と前記ブランク領域との境目から前記ブランク領域内に向かって設けるように前記映像信号を加工する手段であることを特徴とする請求項１又は２に記載の映像信号処理装置。
【請求項５】
前記映像信号の映像領域とブランク領域の表示時間を計測する表示時間計測手段を有し、そして、
前記映像信号加工手段は、前記表示時間計測手段が計測した表示時間に基づいて前記輝度低下領域の輝度を規定して前記映像信号を加工する手段であることを特徴とする請求項１〜４の何れか１項に記載の映像信号処理装置。
【請求項６】
請求項１〜５の何れか１項に記載の映像信号処理装置と、前記映像信号処理装置が加工した映像信号を表示する表示装置と、を有することを特徴とする映像機器。
【請求項７】
映像を表示する映像領域と該映像領域以外の領域に位置するブランク領域とを有する映像信号に対して映像加工処理を施す映像信号処理方法であって、
前記映像信号のブランク領域を検出する工程と、
前記映像領域から前記ブランク領域又は前記ブランク領域から前記映像領域に向かって輝度を徐徐に低下する輝度低下領域を、前記映像領域と前記ブランク領域との間に介在するように前記映像信号を加工する工程と、
を有することを特徴とする映像信号処理方法。
【発明の詳細な説明】
【技術分野】
【０００１】
本発明は、複数種類のアスペクト比の映像信号に対して映像加工処理を施す映像信号処理装置、映像機器、及び、映像信号処理方法に関する。
【背景技術】
【０００２】
現行のテレビ放送においては、アスペクト比４：３を有するＳＤＴＶ（標準画質テレビジョン）用の放送と、アスペクト比１６：９のＨＤＴＶ（高画質テレビジョン）用の放送とが行われている。ＨＤＴＶ用の放送では、アスペクト比４：３を有するＳＤＴＶ用の映像信号について放送する場合には、放送局側でアスペクト比１６：９の映像を有する映像信号に変換した後、放送されている。よって、ＨＤＴＶ用のテレビション受信機でその変換された映像信号を受信すると、画面には、通常、アスペクト比４：３を有する映像が中央に表示され、その左右に黒色のブランク部が表示される。
【０００３】
そして、映像を表示する映像領域とブランク部が表示されるブランク領域とを蛍光体等に表示する場合、その蛍光体等の劣化によって輝度が低下してしまい、映像領域とブランク領域との輝度の劣化差による焼きつきが利用者に視認されて問題となっていた。
【０００４】
このような焼きつきを防止する放送受信装置が提案されている（特許文献１参照）。この放送受信装置によれば、映像領域の平均輝度レベルを検出し、この平均輝度レベルの平均値に近づけた値をブランク領域としている。このように、ブランク部の輝度は表示領域の平均輝度レベルの平均値に連動する構成として焼きつきを防止してきた。
【特許文献１】特開２００５−３２３１４７号公報
【発明の開示】
【発明が解決しようとする課題】
【０００５】
しかしながら、上述した放送受信装置では、ブランク領域の輝度が変化するため、利用者に違和感を与えてしまうとともに、ブランク領域を光らせるために消費電力が増加してしまうという問題があった。また、ブランク領域をグレー表示、絵柄表示等を行う装置もあるが、このような場合も同様に、焼きつきの問題と消費電力の問題が生じていた。なお、このような問題は、２画面等の複数の画面を表示する放送受信装置にも生じる問題である。本発明が解決しようとする課題は、上記した問題が一例として挙げられる。
【０００６】
よって本発明は、上述した問題点に鑑み、画面の焼きつきを目立たなくし且つ消費電力を低下させることができる映像信号処理装置、映像機器、及び、映像信号処理方法を提供することを課題としている。
【課題を解決するための手段】
【０００７】
上記課題を解決するため本発明によりなされた請求項１記載の映像信号処理装置は、映像を表示する映像領域と該映像領域以外の領域に位置するブランク領域とを有する映像信号に対して映像加工処理を施す映像信号処理装置において、前記映像信号のブランク領域を検出するブランク領域検出手段と、前記ブランク領域検出手段によるブランク領域の検出に応じて、前記映像領域から前記ブランク領域又は前記ブランク領域から前記映像領域に向かって輝度を徐徐に低下する輝度低下領域が、前記映像領域と前記ブランク領域との間に介在するように前記映像信号を加工する映像信号加工手段と、を有することを特徴とする。
【０００８】
上記課題を解決するため本発明によりなされた請求項１記載の映像機器は、請求項１〜５の何れか１項に記載の映像信号処理装置と、前記映像信号処理装置が加工した映像信号を表示する表示装置と、を有することを特徴とする。
【０００９】
上記課題を解決するため本発明によりなされた請求項１記載の映像信号処理方法は、  映像を表示する映像領域と該映像領域以外の領域に位置するブランク領域とを有する映像信号に対して映像加工処理を施す映像信号処理方法であって、前記映像信号のブランク領域を検出する工程と、前記映像領域から前記ブランク領域又は前記ブランク領域から前記映像領域に向かって輝度を徐徐に低下する輝度低下領域を、前記映像領域と前記ブランク領域との間に介在するように前記映像信号を加工する工程と、を有することを特徴とする。
【発明を実施するための最良の形態】
【００１０】
以下、本発明に係る映像信号処理装置、映像機器、及び、映像信号処理方法の一最良の形態を、図１の図面を参照して説明する。なお、図１は本発明に係る映像信号処理装置及びテレビション受信機の基本構成の一例を示す構成図である。
【００１１】
図１において、映像信号処理装置１０は、映像を表示する映像領域Ｅ１と該映像領域Ｅ１以外の領域に位置するブランク領域Ｅ２とを有する映像信号に対して映像加工処理を施す映像信号処理装置において、前記映像信号のブランク領域Ｅ２を検出するブランク領域検出手段１２と、前記ブランク領域検出手段１２によるブランク領域Ｅ２の検出に応じて、前記映像領域Ｅ１から前記ブランク領域Ｅ２又は前記ブランク領域Ｅ２から前記映像領域Ｅ１に向かって輝度を徐徐に低下する輝度低下領域Ｅ３が、前記映像領域Ｅ１と前記ブランク領域Ｅ２との間に介在するように前記映像信号を加工する映像信号加工手段１１ａと、を有している。
【００１２】
この映像信号処理装置１０によれば、ブランク領域検出手段１２によって映像信号の中からブランク領域Ｅ２が検出されると、映像領域Ｅ１からブランク領域Ｅ２又はブランク領域Ｅ２から映像領域Ｅ１に向かって輝度を徐徐に低下する輝度低下領域Ｅ３が、映像信号加工手段１１ａによって映像領域Ｅ１とブランク領域Ｅ２との間に介在するように映像信号が加工される。
【００１３】
よって、映像信号にブランク領域Ｅ２が存在していると、そのブランク領域Ｅ２と映像領域Ｅ１との間に輝度低下領域Ｅ３が介在するように映像信号を加工するようにしたことから、該輝度低下領域Ｅ３によって映像領域Ｅ１とブランク領域Ｅ２との領域の輝度を徐徐に低下することができるため、表示装置の輝度が低下しても映像領域Ｅ１とブランク領域Ｅ２との境目を目立たなくすることができる。また、輝度低下領域Ｅ３は輝度を徐徐に低下させているので、消費電力の低下に貢献することができる。従って、焼きつき、つまり輝度低下の差を目立たなくし且つ消費電力を低下させることができる。このように輝度低下領域Ｅ３は、輝度低下の差を目立たなくする領域となっている。
【００１４】
また、映像信号処理装置１０は、前記映像信号加工手段１１ａが輝度の明るい方の領域から暗い方の領域に向かって輝度を徐徐に低下する前記輝度低下領域Ｅ３となるように前記映像信号を加工する手段となっている。
【００１５】
この映像信号処理装置１０によれば、輝度の明るい方の領域から暗い方の領域に向かって輝度が徐徐に低下する輝度低下領域Ｅ３が、映像領域Ｅ１とブランク領域Ｅ２との間に介在するように映像信号が加工される。
【００１６】
よって、輝度低下領域Ｅ３は輝度の明るい方の領域から暗い方の領域に向かって輝度を徐徐に低下するので、輝度低下領域Ｅ３を映像領域Ｅ１とブランク領域Ｅ２との間に介在させても利用者に違和感を与えることを防止できる。従って、映像領域Ｅ１と発光していないブランク領域Ｅ２との境目をより一層目立たなくすることができる。
【００１７】
また、映像信号処理装置１０は、前記映像信号加工手段１１ａが前記輝度低下領域Ｅ３を前記映像領域Ｅ１と前記ブランク領域Ｅ２との境目から前記映像領域Ｅ１内に向かって設けるように前記映像信号を加工する手段となっている。
【００１８】
この映像信号処理装置１０によれば、輝度低下領域Ｅ３が映像領域Ｅ１とブランク領域Ｅ２との境目から映像領域Ｅ１内に向かって設けるように映像信号が加工される。
【００１９】
よって、輝度低下領域Ｅ３を映像領域Ｅ１とブランク領域Ｅ２との境目から映像領域Ｅ１内に向かって設けるようにしたことから、ブランク領域Ｅ２を光輝させる必要がなくなるので、より一層の省電力化に対応することができる。
【００２０】
また、映像信号処理装置１０は、前記映像信号加工手段１１ａが前記輝度低下領域Ｅ３を前記映像領域Ｅ１と前記ブランク領域Ｅ２との境目から前記ブランク領域Ｅ２内に向かって設けるように前記映像信号を加工する手段となっている。
【００２１】
この映像信号処理装置１０によれば、輝度低下領域Ｅ３が映像領域Ｅ１とブランク領域Ｅ２との境目からブランク領域Ｅ２内に向かって設けるように映像信号が加工される。
【００２２】
よって、輝度低下領域Ｅ３を映像領域Ｅ１とブランク領域Ｅ２との境目からブランク領域Ｅ２内に向かって設けるようにしたことから、映像領域Ｅ１の映像に手を加えることなく、ブランク領域Ｅ２のみを加工することで、映像領域Ｅ１と発光していないブランク領域Ｅ２との境目をより一層目立たなくすることができる。
【００２３】
また、映像信号加工装置１０は、前記映像信号の映像領域Ｅ１とブランク領域Ｅ２の表示時間を計測する表示時間計測手段１１ｂを有し、そして、前記映像信号加工手段１１ａ１１ｂは、前記表示時間計測手段１１ｂが計測した表示時間に基づいて前記輝度低下領域Ｅ３の輝度を規定して前記映像信号を加工する手段となっている。
【００２４】
この映像信号加工装置１０によれば、表示時間計測手段１１ｂによって映像領域Ｅ１とブランク領域Ｅ２の表示時間が計測されると、映像信号加工手段１１ａによってその表示時間に基づいて輝度低下領域Ｅ３における輝度が規定され、該輝度低下領域Ｅ３を映像領域Ｅ１とブランク領域Ｅ２との間に介在するように映像信号が加工される。
【００２５】
よって、映像領域Ｅ１とブランク領域Ｅ２の表示時間を計測し、その表示時間に基づいて輝度低下領域Ｅ３の輝度を規定するようにしたことから、長時間の使用によって画面の輝度が低下しても、その低下した輝度に対応するように輝度低下領域Ｅ３の輝度を規定することができるため、その画面に適した輝度低下領域Ｅ３を映像領域Ｅ１とブランク領域Ｅ２との間に介在させることが可能となり、その境目をより一層目立たなくすることができる。
【００２６】
また、映像機器１は、前述した映像信号処理装置１０と、前記映像信号処理装置１０が加工した映像信号を表示する表示装置２０と、を有している。
【００２７】
この映像機器１によれば、映像信号処理装置１０が映像領域Ｅ１とブランク領域Ｅ２との間に輝度低下領域Ｅ３を介在するように映像信号を加工すると、表示装置２０がその映像信号を表示する。
【００２８】
よって、映像信号処理装置１０が映像領域Ｅ１とブランク領域Ｅ２との間に輝度低下領域Ｅ３を加工した映像信号を表示装置２０が表示するようにしたことから、該輝度低下領域Ｅ３によって映像領域Ｅ１とブランク領域Ｅ２との領域の輝度を徐徐に低下することができるため、表示装置２０の輝度が低下しても映像領域Ｅ１とブランク領域Ｅ２との境目を目立たなくすることができる。また、輝度低下領域Ｅ３は輝度を徐徐に低下させているので、消費電力の低下に貢献することができる。従って、焼きつき、つまり輝度低下の差を目立たなくし且つ消費電力を低下させることができる。
【００２９】
また、映像信号処理方法は、映像を表示する映像領域Ｅ１と該映像領域Ｅ１以外の領域に位置するブランク領域Ｅ２とを有する映像信号に対して映像加工処理を施す映像信号処理方法であって、前記映像信号のブランク領域Ｅ２を検出する工程と、前記映像領域Ｅ１から前記ブランク領域Ｅ２又は前記ブランク領域Ｅ２から前記映像領域Ｅ１に向かって輝度を徐徐に低下する輝度低下領域Ｅ３を、前記映像領域Ｅ１と前記ブランク領域Ｅ２との間に介在するように前記映像信号を加工する工程と、を有している。
【００３０】
この映像信号処理方法によれば、映像信号の中からブランク領域Ｅ２を検出すると、映像領域Ｅ１からブランク領域Ｅ２又はブランク領域Ｅ２から映像領域Ｅ１に向かって輝度を徐徐に低下する輝度低下領域Ｅ３が、映像信号加工手段１１ａによって映像領域Ｅ１とブランク領域Ｅ２との間に介在するように映像信号が加工される。
【００３１】
よって、映像信号にブランク領域Ｅ２が存在していると、そのブランク領域Ｅ２と映像領域Ｅ１との間に輝度低下領域Ｅ３が介在するように映像信号を加工するようにしたことから、該輝度低下領域Ｅ３によって映像領域Ｅ１とブランク領域Ｅ２との領域の輝度を徐徐に低下することができるため、表示装置の輝度が低下しても映像領域Ｅ１とブランク領域Ｅ２との境目を目立たなくすることができる。また、輝度低下領域Ｅ３は輝度を徐徐に低下させているので、消費電力の低下に貢献することができる。従って、焼きつき、つまり輝度低下の差を目立たなくし且つ消費電力を低下させることができる。
【実施例】
【００３２】
以下、本発明に係る映像信号処理及び映像機器の一実施の形態を、図２〜図５の図面を参照して説明する。なお、前述したところで説明したものと同一あるいは相当する部分には同一符号を付している。
【００３３】
図２において、映像機器１は、周知であるように、アスペクト比４：３を有するＳＤＴＶ（標準画質テレビジョン）用の放送や、アスペクト比１６：９のＨＤＴＶ（高画質テレビジョン）用の放送を受信して表示する装置である。映像機器１は、受信装置５と、映像信号処理装置１０と、前記映像信号処理装置１０が加工した映像信号を表示する表示装置２０と、を有している。
【００３４】
なお、本実施例では、映像機器１がテレビジョン受信機である場合について説明するが、映像機器１はこれに限定されるものではなく、例えば、モニタディスプレイ（チューナ部を備えていない表示装置）や、これらに接続して使用されるテレビジョンチューナ、ＳＴＢ（Set Top Box)、録画再生機器などを映像機器１とする実施例とすることもできる。
【００３５】
受信装置５は、屋外等に設置されたアンテナ５１で受信した衛星や放送局から送られてくる放送信号を受信する。そして、放送信号が有する映像信号を映像信号処理装置１０に出力する。なお、音声信号については、本発明とは関係ないので説明を省略する。
【００３６】
映像信号処理装置１０は、制御部１１と、映像信号検出部１２と、信号処理部１３と、コントラスト制御部１４と、リサイズ部１５と、を有している。
【００３７】
制御部１１は、映像信号処理装置１０全体の制御を司る。制御部１１は、周知であるマイクロプロセッサユニット等が用いられる。制御部１１は、映像信号処理装置１０としての映像信号加工手段及び表示時間計測手段として機能するための各種プログラムを、図示しない内蔵メモリに記憶している。制御部１１は、映像信号検出部１２とコントラスト制御部１４とリサイズ１５とに接続している。
【００３８】
映像信号検出部１２は、受信装置３０から入力される映像信号Ｖの輝度レベルを検出し、その輝度レベルに基づいて映像信号Ｖがアスペクト比４：３、アスペクト比１６：９、レターボックス（ＬＢ）等の映像表示形式が検出される。なお、ＬＢは、周知であるように、画面の横幅をブラウン管の左右に合わせて表示し、余った上下は黒く塗りつぶされて表示する方法である。
【００３９】
映像信号検出部１２は、表示画面における映像を表示する映像領域Ｅ１と該映像領域Ｅ１以外の領域に位置するブランク領域Ｅ２との境目を検出する。そして、その境目情報を制御部１１に出力する。境目情報は、映像領域Ｅ１とブランク領域Ｅ２との境目が分かる情報であれば、任意の構成とすることができる。
【００４０】
信号処理部１３は、受信装置５とコントラスト制御部１４とに接続されている。信号処理部１３は、受信装置３０から映像信号Ｖが入力される。該映像信号Ｖは、映像信号検出部１２に入力される映像信号Ｖと同一の信号となっている。信号処理部１３は、周知であるように、アナログ／デジタル変換、デコード、Ｙ（輝度）／Ｃ（搬送色信号）分離等の各種信号処理を行って映像信号Ｖを、コントラスト制御部１４に出力する。
【００４１】
コントラスト制御部１４は、制御部１１と信号処理部１３とリサイズ部１５に接続されている。コントラスト制御部１４は、制御部１１からの制御に応じて映像信号Ｖのコントラストを調整してリサイズ部１５に映像信号Ｖを出力する。そして、コントラスト制御部１４は、制御部１１から輝度低下領域Ｅ３の合成を要求されると、映像領域Ｅ１とブランク領域Ｅ２との境目から映像領域Ｅ１に向かって、つまり、その境目から所定の幅で映像領域Ｅ１内に輝度低下領域Ｅ３を合成する。例えば、本実施例では、輝度低下領域Ｅ３の幅を、映像領域Ｅ１の５〜１０％の範囲で設定しているが、その範囲は任意に設定することができる。
【００４２】
リサイズ部１５は、制御部１１とコントラスト制御部１４とに接続されている。リサイズ部１５は、表示装置２０の表示画面の画素数に合わせるように、コントラスト制御部１４から入力される映像信号Ｖを変換して表示装置２０に出力する。そして、リサイズ部１５は、制御部１１から輝度低下領域Ｅ３の合成を要求されると、映像領域Ｅ１とブランク領域Ｅ２との境目からブランク領域Ｅ２に向かって、つまり、その境目から所定の幅でブランク領域Ｅ２内に輝度低下領域Ｅ３を合成する。
【００４３】
このように構成した映像信号処理装置１０は、受信装置５から入力される映像信号Ｖからブランク領域Ｅ２を検出すると、映像領域Ｅ１からブランク領域Ｅ２又はブランク領域Ｅ２から映像領域Ｅ１に向かって輝度を徐徐に低下する輝度低下領域Ｅ３が、映像領域Ｅ１とブランク領域Ｅ２との間に介在するように映像信号Ｖを加工する。
【００４４】
表示装置２０は、リサイズ部１５に接続されている。表示装置２０は、周知であるように、ＣＲＴ（cathode-ray tube）、ＰＤＰ（plasma display panel）等の自発光の表示装置が用いられる。この表示装置２０は、アスペクト比の違い、輝度の低下等で上述した焼きつきが生じる可能性を有している。表示装置２０は、リサイズ部１５から入力される映像信号Ｖを表示する。
【００４５】
本実施例では、図３及び図４に示すように、輝度低下領域Ｅ３を映像領域Ｅ１と黒色で表示するブランク領域Ｅ２との間に介在させる場合について説明する。
【００４６】
図３に示す１６：９画面２１において、映像を表示する有効画面Ｇ１（４：３画面）に対応した領域が映像領域Ｅ１となっている。そして、映像領域Ｅ１の左右両側がブランク領域Ｅ２となっている。このように有効画面Ｇ１の左右両側の境目２２から映像領域Ｅ１内に向かって輝度低下領域Ｅ３を設けている。このように輝度低下領域Ｅ３を映像領域Ｅ１とブランク領域Ｅ２との境目から映像領域Ｅ１内に向かって設けるようにしたことから、ブランク領域Ｅ２を光輝させる必要がなくなるので、より一層の省電力化に対応することができる。
【００４７】
図４に示す１６：９画面２１において、異なる２つの映像を表示する有効画面Ｇ２，Ｇ３に対応した領域が映像領域Ｅ１となっている。そして、映像領域Ｅ１の上下両側がブランク領域Ｅ２となっている。このように有効画面Ｇ２，Ｇ３の上下両側の境目２２からブランク領域Ｅ２内に向かって輝度低下領域Ｅ３を設けている。このように輝度低下領域Ｅ３を映像領域Ｅ１とブランク領域Ｅ２との境目からブランク領域Ｅ２内に向かって設けるようにしたことから、映像領域Ｅ１の映像に手を加えることなく、ブランク領域Ｅ２のみを加工することで、映像領域Ｅ１と発光していないブランク領域Ｅ２との境目をより一層目立たなくすることができる。
【００４８】
また、各輝度低下領域Ｅ３は、映像領域Ｅ１から各ブランク領域Ｅ２に向かって輝度が徐徐に低下するように設けられている。つまり、輝度の明るい映像領域Ｅ１から暗い方の各ブランク領域Ｅ２に向かって輝度を徐徐に低下するので、輝度低下領域Ｅ３を映像領域Ｅ１とブランク領域Ｅ２との間に介在させても利用者に違和感を与えることを防止できる。従って、映像領域Ｅ１と発光していないブランク領域Ｅ２との境目をより一層目立たなくすることができる。
【００４９】
前述した制御部１１は、表示装置２０に映像信号Ｖを表示させる場合は、図５に示すように１６：９画面２１を映像領域Ｅ１、ブランク領域Ｅ２に対応させて複数（図５中では４つ）のブロックＡ〜Ｄに割り振り、各ブロックＡ〜Ｄ毎にその表示時間を累計（計測）している。このように制御部１１は、表示時間計測手段として機能する。
【００５０】
また、表示装置２０は、図６に示すように、蛍光体の輝度低下の特性と同様に、３６０００時間程度（使い方や、蛍光体の種類等にもよる）で輝度が５０％に半減することが知られている。そして、各ブロックＡ〜Ｄ毎の予測輝度とそれに基づいたコントラスト値は、例えば、各式（１）及び式（２）で算出することができる。また、各ブロックＡ〜Ｄの予測輝度とコントラストの関係は表１で表すことができる。なお、表１の結果は、ある使い方をした場合のある瞬間の予測輝度とコントラスト値の一例を示したもので、全ての状況での予測輝度とコントラスト値を表したものではない。
予測輝度（％）＝１−（輝度低下率）／（輝度が低下する時間）＊（（全画面表示時間）−（そのブロックの非表示時間））＊１００…（式１）
コントラスト値（％）＝（ブロックＡの予測輝度）／（対象ブロックの予測輝度）…（式２）
【００５１】
【表１】
2007274070.tif 000003
【００５２】
よって、各ブロックＡ〜Ｄの累計表示時間と蛍光体などの劣化による輝度の低下値から全体の１６：９画面２１が均一になる様にそれぞれの領域のコントラスト値を算出する。また、計測した各ブロックＡ〜Ｄの表示時間に基づいて輝度劣化を表１のように予測し、該予測に基づいて輝度低下領域Ｅ３の輝度を設定することで、より一層確実に映像領域Ｅ１とブランク領域Ｅ２との境目をより一層目立たなくすることができる。
【００５３】
また、輝度低下領域Ｅ３のグラデーションについては、直線、ガンマ、逆ガンマ、Ｓ字等の各種補正によって設定することができる。そして、制御部１１は、基本的には元の映像信号Ｖの輝度に対してコントラスト値を徐徐に変化させて輝度低下領域Ｅ３を設定している。なお、輝度低下領域Ｅ３の設定については、映像機器１の起動時、リアルタイムなど種々異なる実施形態とすることができる。
【００５４】
なお、上述した各式（１）及び式（２）は一例であり、計算の精度を上げるために次のパラメーターを使用して計算方法も考えられる。
・累計の全画面のコントラストやブライトネス（輝度）の設定値。
・表示ブロックＢ〜Ｄはコントラストを下げて使用するのでその場合の累計のコントラスト値。
・累計の平均輝度値。
【００５５】
また、各ブロックＡ〜Ｄの境目に関しては、隣り合うブロック間のコントラストがリニアに変化するようにコントラスト値を変更する。なお、輝度低下領域Ｅ３部分は輝度を徐々に変えているので、その部分も補正する必要がある。
【００５６】
次に、制御部１１が実行する焼きつき低下処理の一例を図７のフローチャートを参照して以下に説明する。
【００５７】
前述した映像信号検出部１２によって映像信号Ｖ中のブランク領域が検出されると、制御部１１は、図７に示す焼きつき低下処理が実行される。そして、ステップＳ１１において、図示しないメモリに記憶している各種設定データに基づいて、焼きつき低下機能がＯＮであるか否かが判定される。ＯＮではないと判定されると（Ｓ１１でＮ）、ステップＳ１８に進む。一方、ＯＮであると判定されると（Ｓ１１でＹ）、ステップＳ１２に進む。
【００５８】
ステップＳ１２において、表示モードが図４に示す２画面モードであるか否かが判定される。２画面モードであると判定された場合は（Ｓ１２でＹ）、ステップＳ１３において、上下焼きつき低下モードが設定され、その後ステップＳ１９に進む。一方、２画面モードではないと判定されると（Ｓ１２でＮ）、ステップＳ１４において、表示モードが４：３モードであるか否かが判定される。４：３モードであると判定された場合は（Ｓ１４でＹ）、ステップＳ１７に進む。一方、４：３モードではないと判定された場合は（Ｓ１４でＮ）、ステップＳ１５に進む。
【００５９】
ステップＳ１５において、映像信号Ｖに基づいて放送が１６：９であるか否かが判定される。１６：９ではないと判定された場合は（Ｓ１５でＮ）、ステップＳ１８に進む。一方、１６：９であると判定された場合は（Ｓ１５でＹ）、ステップＳ１６に進む。
【００６０】
ステップＳ１６において、映像信号Ｖに基づいて有効画面は４：３であるか否かが判定される。有効画面が４：３であると判定された場合は（Ｓ１６でＹ）、ステップＳ１７において、左右焼きつき低下モードが設定され、その後ステップＳ１９に進む。一方、有効画面が４：３ではないと判定された場合は（Ｓ１６でＮ）、ステップＳ１８において、焼きつき低下無効が設定され、その後ステップＳ１９に進む。
【００６１】
ステップＳ１９（映像信号加工手段）において、前述した焼きつき低下モードが設定されている場合は、輝度低下領域Ｅ３の合成がコントラスト制御部１４又はリサイズ部１５に要求され、また、前述した焼きつき低下モードに無効が設定されている場合は、コントラスト制御部１４又はリサイズ部１５に輝度低下領域Ｅ３の合成終了が要求され、その後処理を終了する。
【００６２】
そして、その輝度低下領域Ｅ３の合成が要求されたコントラスト制御部１４又はリサイズ部１５は、予め定められた箇所に輝度低下領域Ｅ３が合成されるように映像信号Ｖを加工する。また、輝度低下領域Ｅ３の合成終了が要求されたコントラスト制御部１４又はリサイズ部１５は、映像信号Ｖに対する輝度低下領域Ｅ３の合成を終了する。
【００６３】
次に、上述した映像機器１の動作（作用）の一例を以下に説明する。なお、前述した左右焼きつき低下モードが図３、上下焼きつき低下モードが図４をそれぞれ示している。
【００６４】
受信装置５で放送信号を受信すると、その放送信号が有する映像信号Ｖは映像信号処理装置１０の映像信号検出部１２に入力される。そして、映像信号Ｖ中にブランク領域Ｅ２を検出すると、そのブランク領域Ｅ２に基づいて焼きつき低下モードを特定する。
【００６５】
左右焼きつき低下モードと判定すると、コントラスト制御部１４は、図３に示すように、有効画面Ｇ１の左右両側の境目２２から映像領域Ｅ１内に向かって輝度低下領域Ｅ３が設けられるように映像信号Ｖが加工され、表示装置２０に出力する。その結果、表示装置２０には、輝度低下領域Ｅ３を映像領域Ｅ１とブランク領域Ｅ２との境目２２から映像領域Ｅ１内に向かって設けられ、且つ、輝度低下領域Ｅ３が映像領域Ｅ１からブランク領域Ｅ２に向かって輝度が徐徐に低下するように１６：９画面２１が表示される。
【００６６】
また、上下焼きつき低下モードと判定すると、リサイズ部１５は、図４に示すように、有効画面Ｇ２，Ｇ３の上下両側の境目２２からブランク領域Ｅ２内に向かって設けられるように映像信号Ｖが加工され、表示装置２０に出力する。その結果、表示装置２０には、輝度低下領域Ｅ３を映像領域Ｅ１とブランク領域Ｅ２との境目２２からブランク領域Ｅ２内に向かって設けられ、且つ、輝度低下領域Ｅ３が映像領域Ｅ１からブランク領域Ｅ２に向かって輝度が徐徐に低下するように１６：９画面２１が表示される。
【００６７】
以上説明した映像機器１によれば、映像信号処理装置１０が映像領域Ｅ１とブランク領域Ｅ２との間に輝度低下領域Ｅ３を加工した映像信号を表示装置２０が表示するようにしたことから、該輝度低下領域Ｅ３によって映像領域Ｅ１とブランク領域Ｅ２との領域の輝度を徐徐に低下することができるため、表示装置２０の輝度が低下しても映像領域Ｅ１とブランク領域Ｅ２との境目２２を目立たなくすることができる。また、輝度低下領域Ｅ３は輝度を徐徐に低下させているので、消費電力の低下に貢献することができる。従って、焼きつき、つまり輝度低下の差を目立たなくし且つ消費電力を低下させることができる。
【００６８】
なお、前述した実施例では、図３に示すように１つの有効画面Ｇ１を表示する場合、輝度低下領域Ｅ３を映像領域Ｅ１内に設けるようにしたが、映像領域Ｅ１外つまりブランク領域Ｅ２内に設けるようにしてもよい。同様に、図４に示すように２つの有効画像Ｇ２，Ｇ３を表示する場合、輝度低下領域Ｅ３をブランク領域Ｅ２内に設けるようにしたが、ブランク領域Ｅ２外つまり映像領域Ｅ１内に設けるようにしてもよい。
【００６９】
また、前述した実施例では、ブランク領域Ｅ２を黒色で表示する場合について説明したが、グレー、絵柄などとしてもよい。その場合は、そのブランク領域Ｅ２の輝度と映像領域Ｅ１の輝度によって輝度低下領域Ｅ３のグラデーションを設定する。
【００７０】
さらに、前述した実施例では、輝度低下領域Ｅ３が映像領域Ｅ１又はブランク領域Ｅ２の何れかに設けられる場合について説明したが、例えば境目２２を中心に両方の領域に亘って設けるなど種々異なる実施形態とすることができる。
【００７１】
また、前述した実施例では、映像領域Ｅ１の左右又は上下にブランク領域Ｅ２が設けられる場合について説明したが、映像領域Ｅ１の上下左右にブランク領域Ｅ２が設けられる場合でも、映像領域Ｅ１とブランク領域Ｅ２との間に輝度低下領域Ｅ３を介在させることで、焼きつき、つまり輝度低下の差を目立たなくし且つ消費電力を低下させることができる。
【００７２】
さらに、その他、本発明の実施の際の具体的な構造および手順は、本発明の目的を達成できる範囲で他の構造などに適宜変更できる。
【図面の簡単な説明】
【００７３】
【図１】本発明に係る映像信号処理装置及び映像機器の基本構成の一例を示す構成図である。
【図２】映像信号処理装置及び映像機器の本発明に係る概略構成の一例を示すシステム構成図である。
【図３】本発明に係る１６：９画面の表示例１を説明するための図である。
【図４】本発明に係る１６：９画面の表示例２を説明するための図である。
【図５】図３，４中の１６：９画面のブロックを説明するための図である。
【図６】図２中の表示装置の予測輝度と時間の関係を示すグラフである。
【図７】図２中の映像信号処理装置の制御部が実行する焼きつき低下処理の一例を示すフローチャートである。
【符号の説明】
【００７４】
１    映像機器
５    受信装置
１０    映像信号処理装置
１１ａ    映像信号加工手段（制御部）
１１ｂ    表示時間計測手段（制御部）
１２    ブランク検出手段（映像信号検出部）
２０    表示装置
Ｅ１    映像領域
Ｅ２    ブランク領域
Ｅ３    輝度低下領域
【図１】
2007274070.tif 000004
【図２】
2007274070.tif 000005
【図３】
2007274070.tif 000006
【図４】
2007274070.tif 000007
【図５】
2007274070.tif 000008
【図６】
2007274070.tif 000009
【図７】
2007274070.tif 000010
【手続補正書】
【提出日】平成19年3月15日(2007.3.15)
【手続補正１】
【補正対象書類名】明細書
【補正対象項目名】００５０
【補正方法】変更
【補正の内容】
【００５０】
また、表示装置２０は、図６に示すように、蛍光体の輝度低下の特性と同様に、３６０００時間程度（使い方や、蛍光体の種類等にもよる）で輝度が５０％に半減することが知られている。そして、各ブロックＡ〜Ｄ毎の予測輝度とそれに基づいたコントラスト値は、例えば、各式（１）及び式（２）で算出することができる。また、各ブロックＡ〜Ｄの予測輝度とコントラストの関係は表１で表すことができる。なお、表１の結果は、ある使い方をした場合のある瞬間の予測輝度とコントラスト値の一例を示したもので、全ての状況での予測輝度とコントラスト値を表したものではない。
予測輝度（％）＝（１−（輝度低下率）／（輝度が低下する時間）＊（（全画面表示時間）−（そのブロックの非表示時間）））＊１００…（式１）
コントラスト値（％）＝（（ブロックＡの予測輝度）／（対象ブロックの予測輝度））＊１００…（式２）